(57)【要約】【課題】幼児の初めて使用した靴や、用具や、写真等、あるいは幼稚園への入園、小中学校への入学卒業等の成長の節目において記念となる品物を折に触れて目にする機会を持つことができ、設置場所の確保が容易で安価に提供される収容場所付時計を提供する。【解決手段】収容場所付の置き時計１０は、通常の構造である円盤状の本体１１の前面ガラス１２で覆われた文字盤１３を設けており、文字盤１３の右下側に長方形に凹んだ収容凹部１４を設けており、収容凹部１４の入り口は開閉可能な透明な蓋１５で閉じられて外部から視認できるようになっている。収容凹部１４内には、記念物である例えば幼児の初めて使用した記念靴１７が収容される。記念靴１７が収容された掛け時計１０は、通常通りに壁や柱等に掛けることにより設置される。【選択図】図１
0003120631.tif 000002
【実用新案登録請求の範囲】
【請求項１】
時計の文字盤の一部に、該文字盤から凹んで内部に記念物が収容可能でかつ外部から視認できるようにされた収容凹部を設けたことを特徴とする収容場所付時計。
【請求項２】
文字盤を設けた時計の本体部分の側部、上部及び下部の内の少なくとも１箇所に、内部に記念物が収容可能でかつ外部から視認できるようにされた収容部が一体で取り付けられたことを特徴とする収容場所付時計。
【請求項３】
時計の文字盤の一部に、該文字盤から凹んで内部に記念物が収容可能でかつ外部から視認できるようにされた収容凹部を設け、さらに該文字盤を設けた時計の本体部分の側部、上部及び下部の内の少なくとも１箇所に、内部に記念物が収容可能でかつ外部から視認できるようにされた収容部が一体で取り付けられたことを特徴とする収容場所付時計。
【考案の詳細な説明】
【技術分野】
【０００１】
本考案は、幼児の初めて使用した靴や、用具や、写真等、あるいは成長の節目の記念となる品物や、思い出となる品物が収容可能でかつ外部から視認できるような収容場所付時計に関する。
【背景技術】
【０００２】
幼児の初めて使用した靴や、用具や、写真等、あるいは幼稚園への入園、小中学校への入学卒業等の成長の節目において記念となる品物を折に触れて目にする機会があると、自己の生い立ちが明らかになり、人格形成の上で有益である。近年、若者の不登校や引きこもりやいわゆるニート等の大量発生が大きな社会問題になっている。このような若者の精神的な不安定さを抑え、自己の社会的な立場を把握する意味でも、自己の成長過程を知ることは大いに意義があることである。しかし、自己の成長過程を知ることができるような成長の節目において記念となる品物については、通常は目にする機会がなく、そのような関心も無いため、折角の機会が失われている。また、子供の誕生時の祝い品としては、衣類、靴、乳児用用具等があるが、これらはすぐに手にはいるもので贈り物としてありふれており、適当な誕生祝い品が少ない。
【０００３】
例えば、特許文献１に示すように、幼児の初めて使用した靴や、帽子・手袋・靴下等の思い出の個人用品を、適度に洗浄した後に、乾燥後は透明となる水性系接着剤を塗布して乾燥する工程を数回繰り返して、求める硬度の表面を得るようにした、思い出の個人用具の置物が知られている。しかし、この置物の場合、個人用品の処理のための手間がかかり、高価になる。また、置物の設置場所が必要になり、特に狭い家屋においては、いつも目に付くような場所を確保することが困難である。
【特許文献１】特開２００５−２８８６２
【考案の開示】
【考案が解決しようとする課題】
【０００４】
本考案は、上記問題を解決しようとするもので、幼児の初めて使用した靴や、用具や、写真等、あるいは幼稚園への入園、小中学校への入学卒業等の成長の節目において記念となる品物や、個人的に思い出となる品物を折に触れて目にする機会を持つことができ、設置場所の確保が容易で安価に提供される収容場所付時計を提供することを目的とする。
【課題を解決するための手段】
【０００５】
上記目的を達成するために本考案の構成上の特徴は、時計の文字盤の一部に、文字盤から凹んで内部に記念物が収容可能でかつ外部から視認できるようにされた収容凹部を設けたことにある。ここで、記念物とは、幼児の初めて使用した靴や、用具や、写真等、あるいは幼稚園への入園、小中学校への入学卒業等の成長の節目において記念となる品物や、個人的に思い出となる品物をいう。
【０００６】
上記のように構成した考案においては、文字盤の一部から凹んで設けられた収容凹部内に幼児の初めて使用した靴等の記念物を簡単に収容でき、記念物が収容された時計を、通常通りに壁等にかけたり机や家具の上に置くことにより設置される。そのため、通常の時計の設置場所を利用して、記念物を飾ることができるので、記念物の設置場所を特に気にする必要が無いので便利である。また、日常的に見る時計の位置で、記念物が飾られていることにより、折に触れてこれらの記念物を目にすることができる。そのため、幼児の初めて使用した靴や、用具や、写真等、あるいは幼稚園への入園、小中学校への入学卒業等の成長の節目において記念となる品物を折に触れて目にすることにより、自己の生い立ちが明らかになり、人格形成の上で有益になる。
【０００７】
また、上記考案の他の特徴は、文字盤を設けた時計の本体部分の側部、上部及び下部の内の少なくとも１箇所に、内部に記念物が収容可能でかつ外部から視認できるようにされた収容部が一体で取り付けられたことにある。このように、文字盤を設けた時計の本体部分の側部、上部及び下部等に収容部を一体で設けて、収容部内に記念物を外部から視認できる状態で収容することによっても上記効果が得られる。また、収容部を本体部分以外に設けたことにより、時計全体の形状は大きくなるが、時計の本体部分を狭めることが無いので、時計製造上の問題は全く無い。
【０００８】
さらに、本考案においては、時計の文字盤の一部に、文字盤から凹んで内部に記念物が収容可能でかつ外部から視認できるようにされた収容凹部を設け、さらに文字盤を設けた時計の本体部分の側部、上部及び下部の内の少なくとも１箇所に、内部に記念物が収容可能でかつ外部から視認できるようにされた収容部が一体で取り付けられることも可能である。これにより、記念物を視認可能な状態で収容する収容場所が、時計の文字盤に設けた収容凹部と、時計本体外に設けた収容部に増やされたことにより、複数の記念物を同時に飾ることができる。
【考案の効果】
【０００９】
本考案においては、日常的に見る時計の位置で、記念物が飾られていることにより、折に触れてこれらの記念物を目にすることができる。そのため、例えば幼児の初めて使用した靴や、用具や、写真等、あるいは幼稚園への入園、小中学校への入学卒業等の成長の節目において記念となる品物を折に触れて目にすることにより、自己の生い立ちが明らかになり、人格形成の上で有益であり、ひいては、若者の不登校や引きこもりやニートの大量発生を抑制できることが期待される。また、個人的に思い出となる品物を折に触れて目にできることにより、生活に潤いが与えられる。また、本考案においては、通常の時計の設置位置に記念物を飾ることができ新たに場所を確保する必要も無いので、狭い室内で記念物を飾るのに便利である。さらに、本考案においては、通常の時計に収容凹部や収容部を設けたのみの簡易な構成であり、安価に提供されるので、出産や入学等の記念の贈り物として好適である。
【考案を実施するための最良の形態】
【００１０】
以下、本考案の一実施例について図面を用いて説明する。図１，図２は実施例１である収容場所付時計である掛け時計を正面図及び断面図により示したものである。掛け時計１０は、通常の構造である円盤状の本体１１の前面ガラス１２で覆われた長針短針を有する文字盤１３を設けており、文字盤１３の右下側に長方形に凹んだ収容凹部１４を設けており、収容凹部１４の入り口は開閉可能な透明な蓋１５で閉じられて外部から視認可能なようになっている。収容凹部１４内には、記念物である例えば幼児の初めて使用した記念靴１７が収容される。記念靴１７が収容された掛け時計１０は、通常通りに壁や柱等に掛けることにより設置される。
【００１１】
上記実施例１によれば、通常の時計の設置場所を利用して記念靴１７等の記念品を飾ることができ、新たな設置場所を確保する必要も無いので、特に狭い室内で記念靴１７等を飾るのに便利である。また、日常的に見る掛け時計１０の位置で、記念靴１７が飾られていることにより、折に触れてこれらの記念物を目にすることができる。そのため、幼児の初めて使用した記念靴１７を折に触れて目にすることにより、自己の生い立ちが明らかになり、人格形成の上で有益であり、ひいては、若者の精神的な不安定が原因とされる不登校や引きこもりやニートの大量発生を抑制できることが期待される。また、実施例１においては、通常の時計に収容凹部１４を設けたのみの簡易な構成であり、安価に提供されるので、出産や入学等の記念の贈り物として好適である。
【００１２】
つぎに、実施例２について説明する。図３は実施例２である収容場所付の掛け時計２０を正面図により示したものである。掛け時計２０は、横長の長方形の箱型であり、通常の構造である文字盤２２を有する時計本来の機能を備えた本体部２１と、本体部２１の右側部に一体で取り付けられた長方形の箱型の収容部２３を有している。収容部２３は、１枚の前面ガラス扉２４で開放可能になっており、内部空間に記念物である例えば幼児の初めて使用した記念靴１７等が収容されて外部から視認できるようになっている。記念靴１７等が収容された掛け時計２０は、通常通りに壁や柱等に掛けることにより設置される。そのため、実施例２においても、実施例１と同様の効果が得られる。また、実施例２においては、収容部２３を時計本体部２１以外に設けたことにより、時計全体の形状は大きくなるが、本体部２１を狭めることが無いので、時計製造上の問題は全く無い。なお、収容部２３の位置については、右側に限らず左側でもよく、また左右両側に設けることもでき、さらに上部や下部に設けることもできる。
【００１３】
また、実施例２の変形例として、図３に一点鎖線で示すように、収容部２３に加えて、文字盤２２の下側に長方形に凹んだ収容凹部２６を設けることができる。変形例によれば、記念物を収容する収容場所が、本体部２１外に設けた収容部２３に加えて、掛け時計２０の文字盤２２に収容凹部２６を設けたことにより、収容場所が増やされ、掛け時計２０に複数の記念物を同時に飾ることができる。
【００１４】
つぎに、実施例３について説明する。図４は実施例３である収容場所付の置き時計３０を正面図により示したものである。置き時計３０は、縦長の長方形の箱型であり、通常の構造である文字盤３２を有する時計本来の機能を備えた本体部３１と、本体部３１の下側に連続して一体で取り付けられた長方形の箱型の収容部３３を有している。収容部３３は、前面ガラス扉３４で左右に開放可能になっており、内部空間に記念物である例えば幼児の初めて使用した記念靴１７等が収容される。記念靴１７等が収容された置き時計３０は、通常通りに机、書棚、家具等の上に置くことにより設置される。そのため、実施例３においても、実施例１と同様の効果が得られる。また、実施例３においても、実施例２の変形例と同様に、収容部３３に加えて、文字盤３２内の一部に長方形に凹んだ収容凹部を設けることができ、それにより、記念物の収容場所が増やされ、掛け時計３０に複数の記念物を同時に飾ることができる。なお、収容部３３の位置については、下側に限らず上側でもよく、また上下両方に設けることもでき、さらに左右側に設けることもできる。
【００１５】
なお、上記各実施例においては、時計として長短針のあるアナログ式のものを示したが、これに代えてデジタル式、あるいはアナログデジタル共存式の時計に対しても同様に適用される。また、文字盤に設ける収容凹部の位置についても、実施例に示した以外の位置とすることが可能である。さらに、時計の外形についても、実施例に示したものに限らず種々の形態が可能である。また、時計本体に対して収容部を設ける位置やその形状についても、実施例に示した位置や形状に限るものではない。また、上記各実施例や変形例においては、収容凹部や収容部に、子供の記念品の代わりに、個人的に思い出となる品物を飾ることもでき、これによりこれら記念品を折に触れて目にできることにより、生活に潤いが与えられる。その他、上記各実施例に示した収容場所付時計については一例であり、本考案の主旨を逸脱しない範囲において種々変更して実施することが可能である。
【産業上の利用可能性】
【００１６】
本考案の収容場所付時計は、日常的に見る時計の位置で記念物が飾られていることにより、折に触れてこれらの記念物を目にすることができ、例えば幼児の初めて使用した靴や、用具や、写真等の成長の節目において記念となる品物を折に触れて目にすることにより、自己の生い立ちが明らかになり、人格形成の上で有益であり、ひいては、若者の精神的な不安定が原因とされる不登校や引きこもりやニートの大量発生を抑制できることが期待されるので、有用である。
【図面の簡単な説明】
【００１７】
【図１】本考案の実施例１である収容場所付の掛け時計を概略的に示す正面図である。
【図２】同掛け時計を概略的に示す図１のＩＩ−ＩＩ線方向の断面図である。
【図３】実施例２及び変形例に係る収容場所付の掛け時計を概略的に示す正面図である。
【図４】実施例３である収容場所付の置き時計を概略的に示す正面図である。
【符号の説明】
【００１８】
１０…収容場所付掛け時計、１１…本体、１３…文字盤、１４…収容凹部、１７…記念靴、２０…掛け時計、２１…本体部、２２…文字盤、２３…収容部、２６…収容凹部、３０…置き時計、３１…本体部、３２…文字盤、３３…収容部。
【図１】
0003120631.tif 000003
【図２】
0003120631.tif 000004
【図３】
0003120631.tif 000005
【図４】
0003120631.tif 000006